(57)【要約】      （修正有）【課題】月経時の経血やおりものを吸収することができ、また別に用意したナプキンやパッドを保持するホルダーとしても使用可能な生理用ナプキン兼ホルダーを提供する。【解決手段】略正方形で且つ各頂点部が角を取って丸みを付けられた本体１と正方形の対角線上に位置する頂点部に設けられた一対の留め具２とからなる。本体は、複数枚のガーゼ１２を重ね合せ、その上にガーゼの糸よりも細い糸でガーゼよりも密に織った柔らかな１枚の表布１１を重ね合せたものである。略正方形のガーゼおよび表布のそれぞれの縁は布目に沿ったものであり、それらの周縁が縁かがり３でかがられている。ガーゼおよび表布が竹繊維からなる糸または竹繊維を主とする糸から構成されている。【選択図】図３
0003157880.tif 000002
【実用新案登録請求の範囲】
【請求項１】
略正方形で且つ各頂点部が角を取って丸みを付けられた本体と前記正方形の対角線上に位置する頂点部に設けられた一対の留め具とからなり、前記本体は複数枚のガーゼを重ね合せ、その上にガーゼの糸よりも細い糸でガーゼよりも密に織った柔らかな１枚の表布を重ね合せたものであって、略正方形のガーゼおよび表布のそれぞれの縁は布目に沿ったものであり、それらの周縁が縁かがりミシンでかがられており、前記ガーゼおよび前記表布が竹繊維からなる糸または竹繊維を主とする糸から構成されていることを特徴とする生理用ナプキン兼ホルダー。
【請求項２】
生理用ナプキンをショーツに取り付けるためのホルダーであって、該ホルダーは略正方形で且つ各頂点部が角を取って丸みを付けられた本体と前記正方形の対角線上に位置する頂点部に設けられた一対の留め具とからなり、前記本体は複数枚のガーゼを重ね合せ、その上にガーゼの糸よりも細い糸でガーゼよりも密に織った柔らかな１枚の表布を重ね合せたものであって、略正方形のガーゼおよび表布のそれぞれの縁は布目に沿ったものであり、それらの周縁が縁かがりミシンでかがられており、前記ガーゼおよび前記表布が竹繊維からなる糸または竹繊維を主とする糸から構成されていて、体液を吸収するとともに余分な体液は通過させることが可能であり、別の生理用ナプキンを前記本体とショーツ股部の内面との間に挟んだ状態で前記留め具をショーツ股部の外面側で留めることが可能であることを特徴とする生理用ナプキン兼ホルダー。
【請求項３】
前記重ね合せた複数枚のガーゼは２〜５枚であることを特徴とする請求項１または請求項２に記載の生理用ナプキン兼ホルダー。
【考案の詳細な説明】
【技術分野】
【０００１】
本考案は、月経時の経血やおりものを吸収することができ、また別に用意したナプキンやパッドを保持するホルダーとしても使用可能な生理用ナプキン兼ホルダーに関するものである。
【背景技術】
【０００２】
従来、生理用ナプキンとしては、合成樹脂製の液透過性トップシートと合成樹脂製の液不透過性バックシートの間に解繊パルプや高分子吸収ポリマーを主とする吸収体を挟んで周縁を融着した、所謂、紙ナプキンが多用されている。しかし、これらのナプキンは使い捨てであり、再利用できない、石油由来の合成樹脂を使用するため環境に優しくない等との理由、或いは使用中にムレやかゆみを感じる等の理由により、最近では布ナプキンを使用する人が徐々に増えている。
【０００３】
生理用布ナプキンは綿布を何枚か重ねたものをそのまま或いは折り畳んで使用し、使用後は、洗濯することにより繰り返し利用できる。
【０００４】
生理用布ナプキンとしては、例えば、特開２００１−３５３１８２号公報（特許文献１）、特開２００４−３３７２０４号公報（特許文献２）、特開２００６−６８１３６号公報（特許文献３）、実用新案登録第３１２２１９６号公報（特許文献４）等が提案されている。
【先行技術文献】
【特許文献】
【０００５】
【特許文献１】特開２００１−３５３１８２号公報
【特許文献２】特開２００４−３３７２０４号公報
【特許文献３】特開２００６−６８１３６号公報
【特許文献４】実用新案登録第３１２２１９６号公報
【考案の概要】
【考案が解決しようとする課題】
【０００６】
特許文献１のナプキンは無漂白綿ネルを複数枚重ね合せたものであるが、厚みが不均一であり、均等に渇き難いという欠点がある。更に、このまま使用すると、綿ネル生地であるから摩擦抵抗が大きいとしても、単にショーツの股部（すなわち、クロッチ部）に置くだけであるので、使用中にズレたり、ショーツから落ちてしまったりするという問題がある。
【０００７】
特許文献２のナプキンでは、パッドが小判型で、ホルダーが十字形であり、両者とも特殊な形状である為、洗濯後に干す際に、その形状から布ナプキンと他人に判ってしまうので、人目に晒して干すことに対して抵抗感がある。
【０００８】
特許文献３のナプキンは、中パッドおよび羽根が小判型で、ホルダーが変形十字形である。従って、特許文献２のものと同様に、ナプキンが特殊な形状の為、洗濯後に人目に晒して干すことに対して抵抗感がある。
【０００９】
特許文献４のナプキンは二枚の起毛綿ネルの周縁部を内側に入れて縫製したものである。このナプキンは周縁部が厚くなり、均等に渇き難いという欠点がある。更に、特許文献１のものと同様に、単にショーツの股部に置くだけであるので、使用中にズレたり、ショーツから落ちてしまったりするという問題がある。
【００１０】
本考案は、従来の布ナプキンの問題を解決して、洗濯後に人目に晒して干すことに対して抵抗感が生じないようにハンカチのような形状で且つ使用中にズレたり、ショーツから落下したりする虞（おそれ）がない布ナプキンを提供することを目的とする。
【００１１】
また、本考案は同じ大きさの従来の布ナプキンに比較して吸収力が大きく、おりものや経血の量が少い時にはそのままで使用でき、経血の量が多い時には他のナプキンと併用して他のナプキンを保持するホルダーとしても使用できるナプキン兼ホルダーを提供することを目的とする。
【００１２】
更に、従来の生理用布ナプキンは特許文献１、特許文献２および特許文献３に記載されているように綿布が使用されているので、経血で濡れるとで冷えた感じがするという問題があり、本考案は冷えた感じがしない布ナプキンを提供することを目的としている。
【００１３】
従来の紙製または布製のナプキンは臭いが気になることが多いが、臭いが殆ど気にならないようなナプキンを提供することを目的としている。
【課題を解決するための手段】
【００１４】
本考案は、略正方形で且つ各頂点部が角を取って丸みを付けられた本体と前記正方形の対角線上に位置する頂点部に設けられた一対の留め具とからなり、前記本体は複数枚のガーゼを重ね合せ、その上にガーゼの糸よりも細い糸でガーゼよりも密に織った柔らかな１枚の表布を重ね合せたものであって、略正方形のガーゼおよび表布のそれぞれの縁は布目に沿ったものであり、それらの周縁が縁かがりミシンでかがられており、前記ガーゼおよび前記表布が竹繊維からなる糸または竹繊維を主とする糸から構成されており、前記留め具は留め具を留めた状態では前記表布が外側になるように本体に取り付けられていることを特徴とする生理用ナプキン兼ホルダーにより前記目的を達成する。
【００１５】
また、本考案においては、前記ガーゼおよび前記表布が竹繊維からなる糸または竹繊維を主とする糸から構成されていて、体液を吸収するとともに余分な体液は通過させることが可能であり、別の生理用ナプキンを前記本体とショーツ股部の内面との間に挟んだ状態で前記留め具をショーツ股部の外面側で留めることが可能である。
【００１６】
本考案においては、前記重ね合せた複数枚のガーゼは、洗濯後乾きやすくするためには２〜５枚であることが好ましい。
【考案の効果】
【００１７】
本考案の生理用ナプキン兼ホルダーは、略正方形で且つ各頂点部が角を取って丸みを付けられた本体と正方形の対角線上に位置する頂点部に設けられた一対の留め具とからなるものであり、その形状がハンカチのような形状であるので、洗濯後に干す際も、人目に晒すことに抵抗感が生じない。このため、外に干して日光に当てることもできる。
【００１８】
本考案の生理用ナプキン兼ホルダーは本体を構成する略正方形のガーゼおよび表布はそれらの縁が布目に沿ったものであるように裁断されてたものであり、留め具が対角線上に設けられているので、使用時は布目がバイアス状でショーツ股部に取り付けられる。ショーツ股部に対して本体をバイアス状態で使用するので、本体の形状は変形や伸縮でき、ショーツ股部にしっかり固定でき、本考案のナプキン兼ホルダーがずれたり移動したりしない。
【００１９】
また、本考案は同じ大きさの従来の布ナプキンに比較して吸収力が大きく、おりものや経血の量が少い時にはそのままで使用でき、経血の量が多い時には他のナプキンと併用して他のナプキンを保持するホルダーとしても使用できる。
【００２０】
他の紙ナプキンや布ナプキンを保持するホルダーとして使用する場合も、本体をバイアス状態で使用するので、本体の形状が変形や伸縮でき、従って、本体とショーツ股部の内面の間に補助用の別のナプキンを配置して、ショーツ股部の外面で留め具を留めることにより、他のナプキンの厚みが厚くても薄くてもしっかりと固定することができる。
【００２１】
本考案のナプキン兼ホルダーの本体がガーゼも表布も竹繊維からなる布であるので、抗菌性があり、従って、雑菌の繁殖を抑えるので、臭いの発生も抑えることができる。
【００２２】
本考案のナプキン兼ホルダーの本体がガーゼも表布も竹繊維からなる布であるので、遠赤外線効果があり、身体を温めるので、冷たい感じがしない。
【００２３】
本考案によれば、本体の表布はガーゼよりも薄く柔らかであり、竹繊維からなるので、肌触りが非常によい。また、表布は薄く柔らかであり且つその周縁でガーゼと縫合わせているだけで、大部分がガーゼから離れた状態であるので、表布は局所にぴったりとフィットすることができる。このため、本考案のナプキン兼ホルダーを着用した状態では表布が貼り付いたようになって局所は閉じた状態に保たれて、経血は身体の内部（腟内）に保たれ、外部に漏れ難い。トイレにおいて本考案のナプキン兼ホルダーを外すと、経血は外部に流出する。
【図面の簡単な説明】
【００２４】
【図１】本考案のナプキン兼ホルダーの一実施例の平面図である。
【図２】図１におけるII−II線に沿った断面図である。
【図３】図１に示した実施例のナプキン兼ホルダーの折り畳んだ状態を示す平面図であり、図３（ａ）は使用時に肌に接する側を示し、図３（ｂ）は反対側を示す。
【図４】本考案のナプキン兼ホルダーをショーツ股部に取り付けた状態を示す斜視図であり、ナプキンとしての使用状態を示す。なお、ナプキン兼ホルダー本体の縁かがりは省略して描かれている。
【図５】本考案のナプキン兼ホルダーをショーツ股部に取り付けた状態を示す斜視図であり、ホルダーとしての使用状態を示す。なお、図４と同様にナプキン兼ホルダー本体の縁かがりは省略して描かれている。
【考案を実施するための形態】
【００２５】
以下に、図面に示した実施例に基いて本考案を詳細に説明する。図１に示すように、本考案のナプキン兼ホルダーは、略正方形で且つ各頂点部が角を取って丸みを付けられた本体１とこの正方形の対角線上に位置する頂点部に設けられた一対の留め具２とからなる。留め具２としてはスナップ、面ファスナー、ボタンと穴との組合せ、などが利用できるが、取扱い易さからスナップタイプが好ましい。
【００２６】
本体１は、図２に示すように、表布１１と複数枚のガーゼ１２とを重ね合せたものであり、表布１１とガーゼ１２とは同じ大きさである。表布１１はガーゼの糸よりも細い糸でガーゼよりも密に織った柔らかな１枚の布である。表布１１の織り組織は平織が好ましい。重ね合せるガーゼ１２の枚数はとくに限定されないが、２〜５枚程度が適当である。図２に示した実施例ではガーゼ１２は３枚である。
【００２７】
略正方形の表布１１および略正方形のガーゼ１２のそれぞれの縁は実質的に布目に沿ったものであり、それら１１、１２の周縁は重ね合せた状態でオーバーロックミシン等の縁かがりミシンで縁かがり３されている。
【００２８】
表布１１およびガーゼ１２は竹繊維からなる糸または竹繊維を主とする糸で織られたものである。竹繊維からなる糸は、例えば本願出願人の特許第４３３６５６２号公報に開示されているように、竹パルプから製造した再生セルロース繊維から製造された糸を使用することが好ましい。
【００２９】
図１に示した実施例では、本体１の表布１１が見えており、本体１の右上頂点部に雄の留め具２が、左下頂点部に雌の留め具２が示されている。この状態で留め具２を留めると、表布１１が外側になる。一対の留め具２は略正方形の本体１の対角線上に位置しているので、留め具２を留めると図３に示すような細長い六角形状になる。図３（ａ）は使用時に肌に接する側で、表布１１が表面となる。図３（ｂ）は反対側を示し、中央部で重なって留め具２で留められた三角形の表布１１と四角形のガーゼ１２が見える。
【００３０】
なお、図１に示した本体１の裏側ではガーゼ１２が表面となっており、留め具２の留め方を逆にすると、ガーゼ１２が表面になるようにすることできる。
【００３１】
図４は本考案のナプキン兼ホルダーをショーツ股部５に取り付けた状態であり、ショーツ股部５の内側、すなわちナプキン兼ホルダーの使用時に肌に接する側を示している。図４に示した使用状態は本考案のナプキン兼ホルダーを単独で使用するもので、ナプキンまたはおりものシートとしての使用であり、表布１１が肌に直接に接する。留め具２がショーツ股部５の外側で図３（ｂ）に示すような状態で留められており、これにより本考案のナプキン兼ホルダーはショーツ股部５に固定される。なお、好みで、ガーゼ１２が表面となるように留め具２を留めて、ガーゼ１２が直接肌に接するようにしてもよい。
【００３２】
図５は本考案のナプキン兼ホルダーを他のナプキン６と組合せて使用する際のショーツ股部５の内側に取り付けた状態を示すものであり、ホルダーとしての使用状態を示す。他のナプキン６は本体１とショーツ股部５との間に挟まれた状態で固定される。ホルダーの本体１は布目に対してバイアス状態で他のナプキン６を包むので、本体１が伸縮や変形でき、他のナプキン６の厚みが厚くても薄くてもしっかりと固定できる。図５に示した使用例でも図４の使用例と同様に使用時に肌に接するのは表布１１である。
【符号の説明】
【００３３】
１  ナプキン兼ホルダーの本体
２  留め具
３  縁かがり
１１  表布
１２  ガーゼ
５  ショーツ股部
６  他のナプキン
【図１】
0003157880.tif 000003
【図２】
0003157880.tif 000004
【図３】
0003157880.tif 000005
【図４】
0003157880.tif 000006
【図５】
0003157880.tif 000007